(57)【要約】【課題】魚類を利用した水質監視装置の監視水槽の清掃頻度を少なくする。【解決手段】監視水槽１の入水槽３と遊泳槽４とを仕切る仕切壁７に通水孔７ａを設けるとともに、遊泳槽４の底部と入水槽３の上部とを沈殿槽９を介してリターン配管１０でつなぎ、このリターン配管１０にエアを吹き込んで遊泳槽４底部から入水槽３上部へ検水を送るエアリフトポンプ１１を設けて、入水槽３と遊泳槽４の水位差により入水槽３内の検水が仕切壁７の通水孔７ａを通って遊泳槽４に流れ込み、遊泳槽４内に水流が生じるようにした。この構成では、遊泳槽４内に水流を生じさせる手段として、検水中の濁質成分の影響によって故障するおそれのないエアリフトポンプ１１を用いたので、監視水槽１の清掃頻度を少なくすることができる。【選択図】図１
2011191101.tif 000002
【特許請求の範囲】
【請求項１】
監視水槽内で遊泳する魚類の行動を観察することによって前記監視水槽に導入された検水の水質を監視する水質監視装置において、前記監視水槽を仕切壁により前記検水が導入される入水槽と前記魚類を遊泳させる遊泳槽とに仕切り、前記仕切壁に前記入水槽と遊泳槽とを連通させる通水孔を設けるとともに、前記遊泳槽の底部と前記入水槽の上部とをリターン配管でつなぎ、このリターン配管にエアを吹き込んで遊泳槽底部から入水槽上部へ検水を送るエアリフトポンプを設けて、前記入水槽と遊泳槽の水位差により入水槽内の検水が前記仕切壁の通水孔を通って遊泳槽に流れ込むようにしたことを特徴とする水質監視装置。
【請求項２】
前記遊泳槽の底部と前記リターン配管の吸込側の端部との間に、前記検水中の濁質成分を沈殿させる沈殿槽を設けたことを特徴とする請求項１に記載の水質監視装置。
【請求項３】
前記遊泳槽と沈殿槽との間で検水の流れを絞る構成としたことを特徴とする請求項２に記載の水質監視装置。
【発明の詳細な説明】
【技術分野】
【０００１】
本発明は、監視水槽内で遊泳する魚類の行動を観察することによって、その監視水槽に導入された検水の水質を監視する水質監視装置に関する。
【背景技術】
【０００２】
河川等から取水した原水を浄化して上水道等に供給する浄化施設においては、浄化水の安全を確保するために、毒物等の混入による原水の水質異常を早期検知できるようにした水質監視装置が設置されていることが多い。このような水質監視装置の一つに、取水した原水の一部を検水として監視水槽に導入し、監視水槽内で遊泳する魚類の行動を観察することによって検水の水質を監視するタイプのものがある（例えば、特許文献１参照。）。
【０００３】
上記の魚類を利用したタイプの水質監視装置の一例を図３および図４に示す。この水質監視装置は、監視水槽５１内で遊泳させる魚類として水流に向かって泳ぐ習性のあるメダカを用い、そのメダカの行動を監視水槽５１上方に設置した監視カメラ５２で観察している。その監視水槽５１は、検水が導入される入水槽５３と、水中ポンプ５４が設置され、入水槽５３から排出される検水を受けるポンプ槽５５と、メダカを遊泳させる遊泳槽５６とからなり、ポンプ槽５５と遊泳槽５６とを仕切る仕切壁５７に水中ポンプ５４の吐出口５７ａと多数の通水孔５７ｂを設けて、遊泳槽５６内にメダカの行動の観察に適した水流を生じさせている。また、遊泳槽５６の底面には排水口５６ａが設けられ、この排水口５６ａに接続された排水配管５８の立上部の途中からオーバーフローした検水が排出されるようになっている。
【０００４】
ところが、この水質監視装置では、遊泳槽５６から仕切壁５７の通水孔５７ｂを通ってポンプ槽５５に戻ってくる検水に含まれる魚糞や残留餌等の濁質成分が水中ポンプ５４内に蓄積されることにより、水中ポンプ５４が故障して使用できなくなるトラブルが発生しやすい。また、検水中の濁質成分が排水配管５８内に蓄積されやすいので、排水配管５８が詰まってしまうおそれもある。このため、ポンプ槽５５や遊泳槽５６を頻繁に清掃する必要があり、装置の維持管理にかかるコストが高いという問題がある。
【先行技術文献】
【特許文献】
【０００５】
【特許文献１】特開２００８−１３４１１９号公報
【発明の概要】
【発明が解決しようとする課題】
【０００６】
本発明は、魚類を利用した水質監視装置の監視水槽の清掃頻度を少なくすることを課題とする。
【課題を解決するための手段】
【０００７】
上記の課題を解決するために、本発明は、監視水槽内で遊泳する魚類の行動を観察することによって前記監視水槽に導入された検水の水質を監視する水質監視装置において、前記監視水槽を仕切壁により前記検水が導入される入水槽と前記魚類を遊泳させる遊泳槽とに仕切り、前記仕切壁に前記入水槽と遊泳槽とを連通させる通水孔を設けるとともに、前記遊泳槽の底部と前記入水槽の上部とをリターン配管でつなぎ、このリターン配管にエアを吹き込んで遊泳槽底部から入水槽上部へ検水を送るエアリフトポンプを設けて、前記入水槽と遊泳槽の水位差により入水槽内の検水が前記仕切壁の通水孔を通って遊泳槽に流れ込むようにした。
【０００８】
すなわち、監視水槽を仕切壁で入水槽と遊泳槽とに仕切って、遊泳槽底部から入水槽上部へエアリフトポンプで検水を送り、入水槽と遊泳槽の水位差により入水槽から遊泳槽へ検水を噴き出させて、遊泳槽内に魚類観察に適した水流が生じるようにしたのである。この構成では、遊泳槽内に水流を生じさせる手段として、検水中の濁質成分の影響によって故障するおそれのないエアリフトポンプを用いているので、監視水槽内に水中ポンプを設置した場合に比べて監視水槽の清掃頻度を少なくすることができる。
【０００９】
また、上記の構成においては、前記遊泳槽の底部と前記リターン配管の吸込側の端部との間に、前記検水中の濁質成分を沈殿させる沈殿槽を設けることが望ましい。このようにすれば、検水中の濁質成分を効率よく除去できるようになってリターン配管の詰まりが生じにくくなるので、監視水槽の清掃の頻度をさらに減少させることができる。
【００１０】
さらに、前記遊泳槽と沈殿槽との間で検水の流れを絞る構成とすれば、沈殿槽で検水の流れが遅くなって濁質成分が沈殿しやすくなるので、より効率よく濁質成分を除去できるようになる。
【発明の効果】
【００１１】
本発明の水質監視装置は、上述したように、検水中の濁質成分の影響によって故障するおそれのないエアリフトポンプを用いて遊泳槽内に水流を生じさせるものであるから、水中ポンプを用いた場合のように頻繁に監視水槽を清掃する必要がなく、維持管理にかかるコストを抑えることができる。
【図面の簡単な説明】
【００１２】
【図１】実施形態の水質監視装置の外観斜視図
【図２】図１の縦断面図
【図３】従来の水質監視装置の外観斜視図
【図４】図２の縦断面図
【発明を実施するための形態】
【００１３】
以下、図１および図２に基づき、本発明の実施形態を説明する。この水質監視装置は、図1に示すように、前述の従来のものと同じく、監視水槽１の上方に設置した監視カメラ２で監視水槽１内の魚類（ここではメダカ）の行動を観察することによって、監視水槽1内の検水の水質を監視するものである。なお、実際の水質の判定は、監視カメラ２に電気的に接続された画像処理装置（図示省略）において、監視カメラ２が撮像したメダカの画像を処理・解析することにより行われている。また、監視水槽１内で遊泳させる魚類はメダカに限らないが、水流に向かって泳ぐ習性のあるものが好ましい。
【００１４】
図1および図２に示すように、前記監視水槽１は、検水が連続的に導入される入水槽３と、メダカを遊泳させる遊泳槽４と、遊泳槽４からオーバーフローした検水を受けて排水配管５へ排出する排水槽６とからなる。その入水槽３、遊泳槽４、排水槽６は互いに仕切壁７、８で仕切られており、遊泳槽４を入水槽３および排水槽６と仕切る仕切壁７には、一側部の底側に入水槽３と遊泳槽４とを連通させる多数の通水孔７ａが設けられ、他側部の高さ方向中央部に遊泳槽４から検水をオーバーフローさせる３本のスリット７ｂが設けられている。この仕切壁７の通水孔７ａおよびスリット７ｂは、メダカを通過させない寸法に形成されている。
【００１５】
前記遊泳槽４と入水槽３とは、遊泳槽４の底側に設けられた沈殿槽９を介してリターン配管１０でつながれている。その沈殿槽９は遊泳槽４の底面中央部に設けられた流出口４ａで遊泳槽４と連通しており、リターン配管１０は沈殿槽９の側壁から入水槽３の上部まで略Ｌ字状に配されている。また、リターン配管１０の途中には、その立上部の下端から上向きにエアを吹き込んでリターン配管１０内の検水を入水槽３上部へ送り込むエアリフトポンプ１１が設けられている。これにより、遊泳槽４の底部から入水槽３の上部へ検水が送られ、入水槽３の水位が遊泳槽４の水位よりも高く保たれる。そして、この入水槽３と遊泳槽４の水位差により入水槽３内の検水が仕切壁７の通水孔７ａを通って遊泳槽４に流れ込み、遊泳槽４内にその周壁に沿ってメダカの行動の観察に適した水流が生じるようになっている。なお、遊泳槽４の流出口４ａは、網状体を設けてメダカが通過できないようにしている。
【００１６】
前記沈殿槽９は、遊泳槽４の流出口４ａから流れ込んだ検水がリターン配管１０の吸込側の端部に達するまでに、検水に含まれる濁質成分を沈殿させるものである。ここで、遊泳槽４の流出口４ａ（遊泳槽４と沈殿槽９との間）では検水の流れが絞られるので、遊泳槽４の流出口４ａ近傍に集まった濁質成分が大きな流速で流出口４ａに吸い込まれる一方、沈殿槽９では検水の流速が遅くなり濁質成分が沈殿しやすくなっている。
【００１７】
また、沈殿槽９の底面には沈殿物排出管１２が接続されており、この排出管１２の途中に通常は閉状態とされるバルブ１３が設けられている。従って、このバルブ１３を開くだけで、沈殿槽９底部に沈殿した濁質成分を少量の検水とともに沈殿槽９から排出することができる。
【００１８】
この水質監視装置は、上記の構成であり、遊泳槽４内に水流を生じさせる手段として用いたエアリフトポンプ１１が、検水と直接接触せず、検水中の濁質成分の影響によって故障するおそれのないものであるから、水中ポンプを用いた場合のように頻繁に監視水槽１を清掃する必要はない。
【００１９】
また、遊泳槽４の底部とリターン配管１０の吸込側の端部との間に沈殿槽９を設けるとともに、遊泳槽４と沈殿槽９との間で検水の流れを絞る構成として、検水に含まれる濁質成分を沈殿槽９で沈殿しやすくし、沈殿した濁質成分を沈殿槽９底側から排出するようにしたので、検水中の濁質成分を効率よく除去してリターン配管１０を詰まりにくくすることができ、この点でも監視水槽１の清掃の頻度を従来よりも少なくできる。
【符号の説明】
【００２０】
１  監視水槽
２  監視カメラ
３  入水槽
４  遊泳槽
４ａ  流出口
５  排水配管
６  排水槽
７、８  仕切壁
７ａ  通水孔
７ｂ  スリット
９  沈殿槽
１０  リターン配管
１１  エアリフトポンプ
１２  沈殿物排出管
１３  バルブ
【図１】
2011191101.tif 000003
【図２】
2011191101.tif 000004
【図３】
2011191101.tif 000005
【図４】
2011191101.tif 000006